(57)【要約】【課題】食品を加温することも冷却することも可能であるとともに、それぞれの作業は極めて簡単であるばかりではなく、極めて趣向性に富んだ食品用温冷器を提供する。【解決手段】内部が中空となされ上部には天板部２ｆが水平に設けられてなり略箱状に成形され、上記天板部２ｆには、内部に飲食物Ｒが充填された湯呑，コップ等の容器３，４，５が挿入される一又は複数の開口２ｇ，２ｈ，２ｉが形成されてなるとともに、該天板部２ｆの周囲には該天板部２ｆの上面よりも上方に起立してなる起立部２ｊ，２ｋ，２ｌ，２ｍが該天板部２ｆを囲むように形成されてなり、上記天板部２ｆ上に注がれたお湯Ｗ又は該天板部２ｆ上に載置された氷Ｉが溶けた冷水が上記開口２ｇ，２ｈ，２ｉの内周と容器との間から該容器３，４，５の側面を伝わって下方に流れるようにされてなる。【選択図】        図２
2005230152.tif 000002
【特許請求の範囲】
【請求項１】
内部が中空となされ上部には天板部が水平に設けられてなり略箱状に成形され、上記天板部には、内部に飲食物が充填された湯呑，コップ等の容器が挿入される一又は複数の開口が形成されてなるとともに、該天板部の周囲には該天板部の上面よりも上方に起立してなる起立部が該天板部を囲むように形成されてなり、上記天板部上に注がれたお湯又は該天板部上に載置された氷が溶けた冷水が上記開口の内周と容器との間から該容器の側面を伝わって下方に流れるようにされてなることを特徴とする食品用温冷器。
【請求項２】
内部が中空となされ上部には天板部が水平に設けられてなり略箱状に成形され、上記天板部には、一又は複数の開口が形成されてなるとともに、該天板部の周囲には該天板部の上面よりも上方に起立してなる起立部が該天板部を囲むように形成されてなる温冷器本体と、上記開口に上方から挿入され外周面は該開口の内周面よりも僅かに隙間が形成されるよう該開口内に配置され内部には飲食物が充填される湯呑，コップ等の容器と、を備え、上記天板部上に注がれたお湯又は該天板部上に載置された氷が溶けた冷水が上記開口の内周と容器との間から該容器の側面を伝わって下方に流れるようにされてなることを特徴とする食品用温冷器。
【請求項３】
上方に開放を有してなり略箱状に成形された温冷器本体と、
この温冷器本体の開口を閉塞するように該温冷器本体上に載置され、水平に形成された天板部と、この天板部に形成され内部に飲食物が充填された湯呑，コップ等の容器が挿入される一又は複数の開口と、上記天板部の周囲に形成され該天板部を囲むように上方に起立してなる起立部と、を有する載置部材と、を備え、
上記天板部上に注がれたお湯又は該天板部上に載置された氷が溶けた冷水が上記開口の内周と容器との間から該容器の側面を伝わって下方に流れるようにされてなることを特徴とする食品用温冷器。
【請求項４】
上方に開放を有してなり略箱状に成形された温冷器本体と、
この温冷器本体の開口を閉塞するように該温冷器本体上に載置され、水平に形成された天板部と、この天板部に形成され内部に飲食物が充填された湯呑，コップ等の容器が挿入される一又は複数の開口と、上記天板部の周囲に形成され該天板部を囲むように上方に起立してなる起立部と、を有する載置部材と、
上記開口に上方から挿入され外周面は該開口の内周面よりも僅かに隙間が形成されるよう該開口内に配置され内部には飲食物が充填される湯呑，コップ等の容器と、を備え、
上記天板部上に注がれたお湯又は該天板部上に載置された氷が溶けた冷水が上記開口の内周と容器との間から該容器の側面を伝わって下方に流れるようにされてなることを特徴とする食品用温冷器。
【請求項５】
前記請求項１に係る食品用温冷器、請求項２に係る温冷器を構成する温冷器本体、請求項３又は請求項４に係る食品用温冷器を構成する温冷器本体及び載置部材は、陶器又は磁器であることを特徴とする請求項１，２，３又は４記載の何れかの食品用温冷器。
【発明の詳細な説明】
【技術分野】
【０００１】
本発明は、例えば、飲食物等の食品を加温し又は冷却する際に使用される食品用温冷器に関し、特に、湯呑やコップ等の容器に充填された飲食物をお湯により加温し又は冷水若しくは氷又はドライアイス等により冷却する際に使用される食品用温冷器に関するものである。
【背景技術】
【０００２】
従来、飲食物を加温し又は冷却する機械器具は様々なものが使用されている。例えば、日本酒や焼酎等の酒を加温する（燗をする）場合には、酒が充填された徳利等の容器を鍋その他の加熱器に収容して加熱し、または、鍋その他の加熱器で加温した酒を徳利等の容器に移し替え、その上で客に提供する方法が採用されている。また、近年では、一升瓶等に充填された酒を自動的に加温する酒燗装置（燗付け装置）により加温し、徳利等の容器に充填した上で客に提供される場合もある。また、こうした飲料を冷却する場合には、冷蔵庫や氷により冷却し、その上で客に提供されている。また、近年では、酒が充填される部位と氷が充填される部位がそれぞれ隣接した状態で形成され、氷により冷却された酒を注ぐことができるサーバーも使用されている。
【発明の開示】
【発明が解決しようとする課題】
【０００３】
しかしながら、上述した食品を加温し又は冷却する機械器具又はその加温方法若しくは冷却方法では、以下に説明する様々な課題を有する。先ず、上記機械器具を使用した食品の加温方法は、極めて面倒であるばかりではなく、客に提供した後には、加温された飲料は外気との接触により急速に冷め、美味しい状態を維持することはできない。また、上記氷を用いたサーバーでは、内部の酒を注ぐ際に氷が外部に排出されないように氷を充填する開口部は極めて小さなものとされていることから、氷の充填作業は極めて面倒なものとなっている。また、上述した機械器具は、食品を加温するか又は冷却するかの何れか一方の機能を備えたものに過ぎず、加温と冷却の両方の機能を備えるものでないため、それぞれの機械器具を用意する必要がある。また、上記機械器具では、客に提供する場合においても極めて趣向性に欠く。特に、飲料の中でも、酒を飲む場合には、その趣乃至は雰囲気が極めて重要視され、飲食店においては、趣向性を高めることが可能な状態で酒を提供することができるものが要求されている。
【０００４】
そこで、本発明は、食品を加温し又は冷却するために使用されている機械器具が有する課題を解決するために提案されたものであって、食品を加温することも冷却することも可能であるとともに、それぞれの作業は極めて簡単であるばかりではなく、極めて趣向性に富んだ食品用温冷器を提供することを目的とするものである。
【課題を解決するための手段】
【０００５】
本発明は、上述した目的を達成するために提案されたものであって、第１の発明（請求項１記載の発明）は、内部が中空となされ上部には天板部が水平に設けられてなり略箱状に成形され、上記天板部には、内部に飲食物が充填された湯呑，コップ等の容器が挿入される一又は複数の開口が形成されてなるとともに、該天板部の周囲には該天板部の上面よりも上方に起立してなる起立部が該天板部を囲むように形成されてなり、上記天板部上に注がれたお湯又は該天板部上に載置された氷が溶けた冷水が上記開口の内周と容器との間から該容器の側面を伝わって下方に流れるようにされてなることを特徴とするものである。
【０００６】
また、第２の発明（請求項２記載の発明）は、内部が中空となされ上部には天板部が水平に設けられてなり略箱状に成形され、上記天板部には、一又は複数の開口が形成されてなるとともに、該天板部の周囲には該天板部の上面よりも上方に起立してなる起立部が該天板部を囲むように形成されてなる温冷器本体と、上記開口に上方から挿入され外周面は該開口の内周面よりも僅かに隙間が形成されるよう該開口内に配置され内部には飲食物が充填される湯呑，コップ等の容器と、を備え、上記天板部上に注がれたお湯又は該天板部上に載置された氷が溶けた冷水が上記開口の内周と容器との間から該容器の側面を伝わって下方に流れるようにされてなることを特徴とするものである。
【０００７】
上記第１及び第２の発明では、上記天板部上に、お湯が注がれると、そのお湯は、上記開口の内周面と、該開口に挿入された湯呑やコップ等の容器の外周面との間に形成された隙間から該容器の側面を伝わって下方に流れ、このお湯と容器との接触により該容器内に充填された食品が加温される。例えば、酒を加温する場合には、上記容器に酒を充填した上で、所定の温度に加熱したお湯を上記天板部上に注ぐ。このお湯の温度は、飲酒者の好み応じた温度とすれば良い。同じように、容器に充填された食品を冷却する場合には、上記天板部上に氷を載置すると、この氷が溶けた冷水が上記お湯の移動と同じように、上記容器の側面を伝わって下方に流れ、この冷水と容器との接触により、該容器の内部に充填された食品が冷却される。また、上記容器の側面を伝わって下方に流れたお湯や冷水は、上記天板部の下方に形成された空間内に収容され、上記容器の下側は、この空間内に収容されたお湯又は冷水に浸されることから、長時間保温される。しかも、この空間内に収容されたお湯又は冷水の上方は、上記天板部により閉塞されていることから、外気の接触により急速に常温となることがないので、より一層保温効果を向上させることができる。なお、上記容器に充填された食品を冷却する場合には、上記天板部上に氷を載置する方法以外に、上記開口から該天板部の下方にドライアイスを充填することも可能となる。また、この食品用温冷器は、上記天板部の開口に挿入された容器を持ち上げ、再び上記開口に挿入するという動作が飲食する者により繰り返されるものであり、容器と一体的に提供され且つ使用されるものであることから、これまでの機械器具に比べ趣向性を高めることができる。特に、容器に充填された食品を冷却する際に、氷を使用した場合には、氷が外部に露出されることから一層趣向性を高めることが可能となり、また、上記天板部の下方にドライアイスを充填した場合には、上記開口と容器との間に形成された隙間から、白い煙状の物質が浮遊することからより一層趣向性を高めることができる。
【０００８】
なお、上記容器は、加温又は冷却すべき食品が充填されるものであって、この食品は、日本酒，焼酎，果実酒等の酒類ばかりではなく、茶，コーヒー，ココア等の飲料として供されるものが充填されても良く、また、こうした飲料として供されるもの以外に、例えば、酒の肴として供される食物が充填されるものであっても良い。また、上記天板部に形成された開口は、単数であっても複数であっても良いばかりではなく、それぞれの開口の大きさは全て同一のものに限定されるものではない。上記天板部に複数の開口が形成され、それぞれの開口に容器が挿入されて使用される場合には、それぞれの容器に異なる食品を充填することができ、より趣向性を高めることができる。また、上記天板部に形成された起立部の高さは、少なくとも該天板部の上面に注がれたお湯や氷が溶けた冷水が外側に溢れ出ることがない高さであれば良い。
【０００９】
また、第３の発明（請求項３記載の発明）は、上方に開放を有してなり略箱状に成形された温冷器本体と、この温冷器本体の開口を閉塞するように該温冷器本体上に載置され、水平に形成された天板部と、この天板部に形成され内部に飲食物が充填された湯呑，コップ等の容器が挿入される一又は複数の開口と、上記天板部の周囲に形成され該天板部を囲むように上方に起立してなる起立部と、を有する載置部材と、を備え、上記天板部上に注がれたお湯又は該天板部上に載置された氷が溶けた冷水が上記開口の内周と容器との間から該容器の側面を伝わって下方に流れるようにされてなることを特徴とするものである。
【００１０】
また、第４の発明（請求項４記載の発明）は、上方に開放を有してなり略箱状に成形された温冷器本体と、この温冷器本体の開口を閉塞するように該温冷器本体上に載置され、水平に形成された天板部と、この天板部に形成され内部に飲食物が充填された湯呑，コップ等の容器が挿入される一又は複数の開口と、上記天板部の周囲に形成され該天板部を囲むように上方に起立してなる起立部と、を有する載置部材と、上記開口に上方から挿入され外周面は該開口の内周面よりも僅かに隙間が形成されるよう該開口内に配置され内部には飲食物が充填される湯呑，コップ等の容器と、を備え、上記天板部上に注がれたお湯又は該天板部上に載置された氷が溶けた冷水が上記開口の内周と容器との間から該容器の側面を伝わって下方に流れるようにされてなることを特徴とするものである。
【００１１】
上記第３及び第４の発明では、上記第１の発明に係る食品用温冷器や、上記第２の発明を構成する温冷器本体と異なり、温冷器本体と載置部材とが別体となされ、この載置部材に、前述した開口が形成された天板部と起立部と形成されている。こうした構成に係る食品用温冷器によれば、上記載置部材を温冷器本体から取り除くことにより、該温冷器本体内にドライアイス等を容易に充填することができるのみならず、内部を容易に洗浄することが可能となる。
【００１２】
また、第５の発明（請求項５記載の発明）は、前記第１の発明に係る食品用温冷器、第２の発明に係る食品用温冷器を構成する温冷器本体、第３の発明又は第４の発明に係る食品用温冷器を構成する温冷器本体及び載置部材は、陶器又は磁器であることを特徴とするものである。
【００１３】
この第５の発明では、前記第１の発明に係る食品用温冷器、第２の発明に係る食品用温冷器を構成する温冷器本体、第３の発明又は第４の発明に係る食品用温冷器を構成する温冷器本体及び載置部材は、陶器又は磁器であることから、一層趣向性を高めることができる。なお、上記第１乃至第４の発明に関して説明した容器は、この第５の発明のように、陶器又は磁器である必要性はなく、ガラス，漆器又は樹脂を素材としたものであっても良い。
【発明の効果】
【００１４】
上記第１の発明（請求項１記載の発明）及び第２の発明（請求項２記載の発明）によれば、上記開口の内周面と該開口に挿入された湯呑やコップ等の容器の外周面との間に形成された隙間から該容器の側面を伝わって下方に流れるお湯により該容器内に充填された食品が加温され、同じように、上記容器の側面を伝わって下方に流れる氷からの冷水により、該容器の内部に充填された食品が冷却されることから、極めて簡単に食品を加温できるとともに、冷却することができる。また、上記容器の側面を伝わって下方に流れたお湯や冷水は、上記天板部の下方に形成された空間内に収容され、上記容器の下側は、この空間内に収容されたお湯又は冷水に浸されることから、長時間食品を保温することができる。しかも、この空間内に収容されたお湯又は冷水の上方は、上記天板部により閉塞されていることから、外気の接触により急速に常温となることがないので、より一層保温効果を向上させることができる。さらに、上記容器に充填された食品を冷却する場合には、上記天板部上に氷を載置する方法以外に、上記開口から該天板部の下方にドライアイスを充填することも可能となり、このように、ドライアイスを使用する場合には、該ドライアイスからの煙状の物質が、上記開口と容器との間に形成された隙間から浮遊することからより一層趣向性を高めることができる。さらに、この第１及び第２の発明によれば、上記天板部の開口に挿入された容器を持ち上げ、再び上記開口に挿入するという動作が飲食する者により繰り返されるものであり、容器と一体的に提供され且つ使用されるものであることから、これまでの機械器具に比べ趣向性を高めることができる。特に、容器に充填された食品を冷却する際に、氷を使用した場合には、氷が外部に露出されることから一層趣向性を高めることが可能となる。
【００１５】
また、上記第３の発明（請求項３記載の発明）及び第４の発明（請求項４記載の発明）では、上記第１の発明に係る食品用温冷器や上記第２の発明を構成する温冷器本体と異なり、温冷器本体と載置部材とが別体となされ、この載置部材に、前述した開口が形成された天板部と起立部と形成されている。こうした構成に係る食品用温冷器によれば、上記載置部材を温冷器本体から取り除くことにより、該温冷器本体内にドライアイス等を容易に充填することができるのみならず、内部を容易に洗浄することが可能となる。
【００１６】
上記第５の発明（請求項５記載の発明）によれば、より趣向性の高い食品用温冷器とすることができる。
【発明を実施するための最良の形態】
【００１７】
以下、本発明を実施するための最良の形態を、図面を参照しながら詳細に説明する。
【００１８】
この実施の形態に係る食品用温冷器１は、日本酒を加温し、また、冷却するものであって、図１に示すように、温冷器本体２と、第１乃至第３の容器３，４，５とから構成されたものであり、それぞれセラミックスを素材とした陶磁器であるとともに、図示しない通常のテーブルに十分載置して使用することができ容易に持ち運び可能な大きさに成形されたものである。そして、上記温冷器本体２は、図１又は図２に示すように、底板部２ａ（図２参照）と、この底板部２ａから起立してなる正面側板部２ｂと、この正面側板部２ｂと面対向してなる背面側板部２ｃ（図２参照）と、左側板部２ｄ（図２参照）及び右側板部２ｅとを備え、全体形状は左右に長さを有する箱状に成形されている。そして、上記底板部２ａの上方には、本発明を構成する天板部２ｆが形成されている。この天板部２ｆは、上記底板部２ａの上面，上記正面側板部２ｂの内側面，上記背面側板部２ｃの内側面，上記左側板部２ｄの内側面及び右側板部２ｅの内側面により形成された空間を閉塞するものであり、該天板部２ｆの下方には、後述するお湯又は冷水若しくは氷又はドライアイスが充填される充填空間Ｓとされている。なお、上記天板部２ｆが形成されている底板部２ａの上面からの高さは、上記第１乃至第３の容器３，４，５の高さよりも短いものとされている。
【００１９】
また、上記天板部２ｆには、左側から右側にかけて本発明を構成する第１の開口２ｇ，第２の開口２ｈ及び第３の開口３ｉが並んで形成されている。これら第１乃至第３の開口２ｇ，２ｈ，２ｉは、それぞれ同一の径となされた円形状のものであり、上記第１乃至第３の容器３，４，５の上端側中途部の外径よりも僅かに太い径とされている。したがって、図２に示すように、上記第１の開口２ｇの内周面と第１の容器３の外周面、第２の開口２ｈの内周面と第２の容器４の外周面、第３の開口２ｉの内周面と第３の容器５の外周面との間には、それぞれ後述するお湯又は冷水が流入する流入空間Ｓ１，Ｓ２，Ｓ３が形成されている。
【００２０】
また、上記天板部２ｆの周囲には、本発明を構成するとともに連続した（第１乃至第４の）起立部２ｊ，２ｋ，２ｌ，２ｍが形成され、該天板部２ｆは、これら第１乃至第４の）起立部２ｊ，２ｋ，２ｌ，２ｍにより囲まれている。上記第１の起立部２ｊは、上記正面板部２ｂから連続して起立してなるものであり、上記第２の起立部２ｋは、上記左側板部２ｄから連続して起立してなるものであり、上記第３の起立部２ｌは、上記背面側板部２ｃから連続して起立してなるものであり、上記第４の起立部２ｍは、上記右側板部２ｅから連続して起立してなるものである。また、上記第１乃至第３の容器３，４，５は、内部に日本酒が充填されるものであり、それぞれ同一の形状に成形されてなるものであって、この実施の形態においては、下端にそれぞれ脚部３ａ，４ａ，５ａが形成されている。
【００２１】
以下、上述した実施の形態に係る食品用温冷器１の各使用方法に付いて説明する。最初に、この食品用温冷器１を用いて、上記第１乃至第３の容器３，４，５内に充填された日本酒を加温する方法に付いて説明する。先ず、図２に示すように、第１乃至第３の容器３，４，５を、上記天板部２ｆに形成された開口２ｇ，２ｈ，２ｉ内に挿入し、該第１乃至第３の容器３，４，５内に、それぞれ日本酒Ｒを充填する。言うまでも無く、日本酒Ｒが予め充填され第１乃至第３の容器３，４，５を、上記開口２ｇ，２ｈ，２ｉ内に挿入しても良い。なお、このとき、上記第１乃至第３の容器３，４，５内には、それぞれ異なる種類の日本酒を充填しても良い。そして、こうした作業が終了すると、次いで、図３に示すように、ヤカン，ポットその他お湯が充填された器具Ｐからお湯Ｗを上記天板部２ｆ上に注ぐ。すると、この天板部２ｆ上に注がれたお湯Ｗは、上記天板部２ｆ上から上記各流入空間Ｓ１，Ｓ２，Ｓ３に流入するとともに、上記第１乃至第３の容器３，４，５の側面を伝わって、該天板部２ｆの下方に形成された上記充填空間Ｓ内に充填される。このとき、上記第１乃至第３の容器３，４，５内に充填された日本酒Ｒは、このお湯Ｗの熱により加温される。また、上記充填空間Ｓに充填されたお湯によっても加温される。
【００２２】
次に、この食品用温冷器１を用いて、上記第１乃至第３の容器３，４，５内に充填された日本酒を冷却する方法に付いて説明する。この場合には、図４に示すように、上記天板部２ｆ上であって、上記日本酒Ｒがそれぞれ充填された第１乃至第３の容器３，４，５の回りに、（細かい）氷Ｉを敷き詰める。すると、上記氷Ｉは、徐々に溶けて冷水となり、上記天板部２ｆ上から上記各流入空間Ｓ１，Ｓ２，Ｓ３に流入するとともに、上記第１乃至第３の容器３，４，５の側面を伝わって、該天板部２ｆの下方に形成された上記充填空間Ｓ内に充填される。このとき、上記第１乃至第３の容器３，４，５内に充填された日本酒Ｒは、この冷水Ｗの熱により冷却される。また、上記充填空間Ｓに充填された冷水によっても冷却される。また、この食品用温冷器１では、図５に示すように、上記天板部２ｆの下方に形成された充填空間Ｓ内に氷Ｉを予め充填し、次いで、上記第１乃至第３の容器３，４，５を上記第１乃至第３の開口２ｇ，２ｈ，２ｉ内に挿入させることにより、上記日本酒Ｒを冷却することもできる。また、上記氷Ｉに替えて（又は該氷Ｉと共に）、図示しないドライアイスを上記天板部２ｆの下方に形成された充填空間Ｓ内に充填することにより、日本酒Ｒを冷却することもできる。
【００２３】
したがって、上述した実施の形態に係る食品用温冷器１によれば、第１乃至第３の容器３，４，５内に充填された食品としての日本酒を極めて簡単に加温することができるとともに、冷却することができ、また、加温する場合には、お湯の温度を適宜調節して注ぐことにより、所望の温度に加温することができる。また、上述した食品用温冷器１によれば、従来使用されている加温用の機械器具や冷却用の機械器具に比べ趣向性を高めることができる。特に、上述したように、天板部材２ｆ上に氷Iを敷き詰めることにより冷却する場合には、露出した氷Ｉの外観から見た目にも趣向性を大きく高めることができ、さらには、この天板部２ｆの下方の充填空間Ｓ内にドライアイスを充填した場合には、上記各流入空間Ｓ１，Ｓ２，Ｓ３から煙状の物質が上方に排出され、上記第１乃至第３の容器３，４，５の回りに浮遊することから、より一層趣向性に富んだ演出が可能となる。また、上記実施の形態に係る食品用温冷器１では、上記天板部２ｆに３つの（第１乃至第３の）開口２ｇ，２ｈ，２ｉが形成されており、３つの（第１乃至第３の）容器３，４，５が挿入可能とされていることから、それぞれ異なる種類の日本酒Ｒを飲酒することが可能となる。
【００２４】
なお、上記実施の形態に係る食品用温冷器１では、天板部２ｆが各側板部（符号は省略する。）と一体成形されているが、本発明は、第２の実施の形態として図６に示す食品用温冷器１１のように、温冷器本体１２と、この温冷器本体１２に載置される載置部材１３とから構成したものであっても良い。すなわち、この第２の実施の形態に係る食品用温冷器１１は、底板部１２ａと、正面側板部１２ｂと、背面側板部１２ｃと、左側板部１２ｄ及び右側板部１２ｅとからなり上方に開口（符号は省略する。）が形成された温冷器本体１２と、この温冷器本体１２に形成された開口を閉塞するように該温冷器本体１２上に載置される載置部材１３とから構成されている。上記載置部材１３は、天板部１３ａと、この天板部１３ａの周囲から該天板部１３ａを囲むように起立してなる起立部１３ｂを備えている。また、この天板部１３ａには、左側から右側にかけて第１乃至第３の開口１３ｃ，１３ｄ，１３ｅが形成されている。これら第１乃至第３の開口１３ｃ，１３ｄ，１３ｅは、前記第１の実施の形態で説明した第１乃至第３の容器３，４，５が挿入される部位である。また、上記載置部材１３の下面には、垂下部１３ｆが形成されている。この垂下部１３ｆは、上記天板部１３ａの外周位置から下方に垂下してなるものであり、外側面は、上記温冷器本体１２の内周面よりも僅かに内側に形成され、この載置部材１３が温冷器本体１２に載置されたとき該温冷器本体１２内に挿入されるように構成されている。なお、上記起立部１３ｂの下方は、上記温冷器本体１２の上面に当接する部位である。
【００２５】
上述した構成に係る食品用温冷器１１による場合であっても、前記第１の実施の形態に係る食品用温冷器１と同じ効果を実現することができるが、そうした効果に加えて、この第２の実施の形態に係る食品用温冷器１１では、温冷器本体１２と載置部材１３とが別体となされ、該温冷器本体１２に対して載置部材１３が着脱自在とされていることから、温冷器本体１２の洗浄が極めて簡単になるとともに、温冷器本体１２内に氷やドライアイスを充填する作業も簡単に充填することができるので、一層使い勝手の良いものとすることができる。
【図面の簡単な説明】
【００２６】
【図１】本発明の第１の実施の形態に係る食品用温冷器を示す斜視図である。
【図２】図１に示す食品用温冷器の正断面図である。
【図３】図１に示す食品用温冷器にお湯を注いだ状態を示す正断面図である。
【図４】図１に示す食品用温冷器を構成する天板部上に氷を載置した状態を示す正断面図である。
【図５】図１に示す食品用温冷器を構成する天板部の下側に氷を充填した状態を示す正断面図である。
【図６】第２の実施の形態に係る食品用温冷器を示す分解斜視図である。
【符号の説明】
【００２７】
１    食品用温冷器
２    温冷器本体
２ｆ    天板部
２ｇ    第１の開口
２ｈ    第２の開口
２ｉ    第３の開口
２ｊ    第１の起立部
２ｋ    第２の起立部
２ｌ    第３の起立部
２ｍ    第４の起立部
３    第１の容器
４    第２の容器
５    第３の容器
１１    食品用温冷器
１２    温冷器本体
１３    載置部材
１３ａ    天板部
１３ｂ    起立部
１３ｃ    第１の開口
１３ｄ    第２の開口
１３ｅ    第３の開口
Ｗ    お湯
Ｉ    氷
【図１】
2005230152.tif 000003
【図２】
2005230152.tif 000004
【図３】
2005230152.tif 000005
【図４】
2005230152.tif 000006
【図５】
2005230152.tif 000007
【図６】
2005230152.tif 000008